(57)【要約】【課題】  打球時の打球音及び打球感を良好にすると同時に、クラブヘッドの重心深度やヘッド周りの慣性モーメントを大きくでき、更に低重心化も図ることが出来るゴルフクラブヘッドを提供することを目的とする。【解決手段】この実施形態は、クラブヘッド本体１ｍの外殻２ｍ及びソールプレート３ｍは金属材料により一体的に形成され、クラブヘッド本体１ｍの中空部４ｍ内には、鋼棒等の金属材料から成るＹ字状に形成された共鳴体５（所謂、音叉）が内蔵されている。共鳴体５は、ソールプレート３ｍに溶接や、ソールプレート３ｍの鋳造時に一体的に固定し、更にバック側３ｃに溶接して一体的に形成しても良い。共鳴体５は、上述したように略Ｙ字状に形成して共振体とし、中空部４ｍは共鳴箱として構成するものである。金属製の共鳴体５を、クラブヘッド本体１ｍの材料よりも高比重材料を用いることで、クラブヘッド本体１ｍの重心深度やヘッド周りの慣性モーメントを大きくでき、更に低重心化も図ることも可能である。【選択図】  図１
2004188221.tif 000002
【特許請求の範囲】
【請求項１】
中空構造のクラブヘッド本体から成るゴルフクラブヘッドにおいて、前記クラブヘッド本体の外殻及びソール部を金属材料により一体的に構成し、中空構造のクラブヘッド本体内部のソール部に、打球時に共鳴音を発する金属製の共鳴体を少なくとも一つ以上内蔵させて構成したことを特徴とするゴルフクラブヘッド。
【請求項２】
中空構造のクラブヘッド本体から成るゴルフクラブヘッドにおいて、前記クラブヘッド本体の外殻及びソール部を金属材料により一体的に構成し、中空構造のクラブヘッド本体内部のソール部に、打球時に共鳴音を発する金属製の共鳴体を少なくとも一つ以上内蔵させて構成し、前記金属製の共鳴体を、クラブヘッド本体の材料よりも高比重材料を用いたことを特徴とするゴルフクラブヘッド。
【請求項３】
前記金属製の共鳴体を、ソールプレート内側のトウ側、ヒール側、バック側の何れかの一箇所以上に設けた請求項１または２に記載のゴルフクラブヘッド。
【請求項４】
前記金属製の共鳴体を、ソールプレート内側に、溶接またはソールプレートの鋳造時に一体的に設けた請求項１，２または３に記載のゴルフクラブヘッド。
【発明の詳細な説明】
【技術分野】
【０００１】
この発明は、中空構造のアイアンゴルフクラブヘッド，ウッドゴルフクラブヘッド等のゴルフクラブヘッドにかかわり、更に詳しくは金属材料を主材とする中空構造のクラブヘッドにおいて、打球時に共鳴音を発する金属製の共鳴体を内蔵させて打球時にフィーリングを良好にすると同時に、クラブヘッドの重心深度やヘッド重心周りの慣性モーメントを大きくでき、更に低重心化も図ることが出来るゴルフクラブヘッドに関するものである。    
【背景技術】
【０００２】
近年市販されている中空構造のアイアンゴルフクラブヘッド，ウッドゴルフクラブヘッドには、外殻が炭素繊維強化プラスチックで構成され、ソール部が金属材料で構成されて一体的に構成された合成樹脂製のクラブヘッドや、チタン，ステンレス等の金属材料を主材としたクラブヘッド等が知られている（例えば、特許文献１参照）。
【０００３】
また、クラブヘッドに発音体または発音機構を有し、クラブフェイスの芯にボールが当たった時に音を発生するゴルフクラブも提案されている（例えば、特許文献２参照）。
【０００４】
然しながら、前者の中空構造の合成樹脂製クラブヘッドは、上述したように外殻が炭素繊維強化プラスチック（ＣＦＲＰ）で構成されているため、打球音が極めて小さく、後者の金属材料を主材としたクラブヘッドに比べて打球感（フィーリング）が極めて悪いと言う問題があった。また、最近のチタン，ステンレス等の金属材料を主材としたメタルウッドゴルフクラブヘッドにおいても、ヘッド本体の体積が大きくなるにつれて肉厚が薄くなり、心地よい打球音が得られないと言う問題があった。
【０００５】
また発音体または発音機構を有するクラブヘッドの場合には、特定箇所に打球した時のみ打撃音が共鳴するものであり、共鳴音は極めて小さい。更に、中空構造の合成樹脂製クラブヘッド及びメタルウッドゴルフクラブヘッドにおいては、重量体をソール部側に取付けることで低重心化を図る設計も行われているが、重量体を取付けることで、更に心地良い打球感や打球音を得ることが出来ないと言う問題があった。
【特許文献１】特開平３−２２８７８２号公報
【特許文献２】特開昭４８−８６６３３号公報
【発明の開示】
【発明が解決しようとする課題】
【０００６】
この発明は、かかる従来の問題点に着目して案出されたもので、打球時の打球音及び打球感を良好にすると同時に、クラブヘッドの重心深度やヘッド周りの慣性モーメントを大きくでき、更に低重心化も図ることが出来るゴルフクラブヘッドを提供することを目的とするものである。
【課題を解決するための手段】
【０００７】
この発明は上記目的を達成するため、この発明の第１のゴルフクラブヘッドは、クラブヘッド本体の外殻及びソール部を金属材料により一体的に構成し、中空構造のクラブヘッド本体内部のソール部に、打球時に共鳴音を発する金属製の共鳴体を少なくとも一つ以上内蔵させて構成したことを要旨とするものである。
【０００８】
また、この発明第２のゴルフクラブヘッドは、クラブヘッド本体の外殻及びソール部を金属材料により一体的に構成し、中空構造のクラブヘッド本体内部のソール部に、打球時に共鳴音を発する金属製の共鳴体を少なくとも一つ以上内蔵させて構成し、前記金属製の共鳴体を、クラブヘッド本体の材料よりも高比重材料を用いたことを要旨とするものである。
【０００９】
ここで、前記金属製の共鳴体を、ソールプレート内側のトウ側、ヒール側、バック側の何れかの一箇所以上に設け、また前記金属製の共鳴体を、ソールプレート内側に、溶接またはソールプレートの鋳造時に一体的に設けるものである。
【００１０】
上記のように構成することで、打球時にフィーリングを良好にすると同時に、クラブヘッドの重心深度やヘッド周りの慣性モーメントを大きくでき、更に低重心化も図ることが出来る。
【発明の効果】
【００１１】
この発明は、上記のようにクラブヘッド本体の外殻及びソール部を金属材料により一体的に構成し、中空構造のクラブヘッド本体内部のソール部に、打球時に共鳴音を発する金属製の共鳴体を少なくとも一つ以上内蔵させて構成したので、打球時にフィーリング（打球音，打球感）を良好にすると同時に、クラブヘッドの重心深度やヘッド周りの慣性モーメントを大きくできる効果がある。
【００１２】
また、この発明は、クラブヘッド本体の外殻及びソール部を金属材料により一体的に構成し、中空構造のクラブヘッド本体内部のソール部に、打球時に共鳴音を発する金属製の共鳴体を少なくとも一つ以上内蔵させて構成し、前記金属製の共鳴体を、クラブヘッド本体の材料よりも高比重材料を用いたことにより、打球時にフィーリング（打球音，打球感）を良好にすると同時に、クラブヘッドの重心深度やヘッド周りの慣性モーメントを大きくできる上に、クラブヘッドの低重心化も図ることが出来る効果がある。
【発明を実施するための最良の形態】
【００１３】
以下、添付図面に基づきこの発明の実施の形態を説明する。
【００１４】
図１はこの発明の第１実施形態を示すチタン等の金属材料を主材とするクラブヘッド本体１ｍの断面図を示し、この実施形態は、クラブヘッド本体１ｍの外殻２ｍ及びソールプレート３ｍは金属材料により一体的に形成され、クラブヘッド本体１ｍの中空部４ｍ内には、鋼棒等の金属材料から成るＹ字状に形成された共鳴体５が内蔵されている。
【００１５】
前記共鳴体５は、ソールプレート３ｍに溶接や、ソールプレート３ｍの鋳造時に一体的に固定し、更にバック側３ｃに溶接して一体的に形成しても良い。
【００１６】
また、共鳴体５は、上述したように略Ｙ字状に形成して共振体とし、中空部４ｍは共鳴箱として構成するものである。
【００１７】
更に、金属製の共鳴体５を、クラブヘッド本体１ｍの材料よりも高比重材料を用いることで、クラブヘッド本体１ｍの重心深度やヘッド周りの慣性モーメントを大きくでき、更に低重心化も図ることも可能である。
【００１８】
図２はこの発明の第２実施形態を示す炭素繊維強化プラスチック（ＣＦＲＰ）を主材とするウッドゴルフクラブのクラブヘッド本体１の断面図を示し、２は外殻、３はステンレス，鉄等の金属材料で形成されたソールプレートを示している。
【００１９】
前記クラブヘッド本体１の共鳴箱となる中空部４内には、鋼棒等の金属材料から成るＹ字状に形成された共鳴体５や、鋼棒等の金属材料から成る共鳴体５ａが内蔵される。
【００２０】
この共鳴体５または共鳴体５ａ、または両共鳴体５，５ａは、ソールプレート３の内側のトウ側３ａまたはヒール側３ｂの２箇所に設けたり、或いは図３に示すように、ソールプレート３の裏面側に複数本立設させて一体的に形成しても良い。
【００２１】
前記金属製の共鳴体５を、ソールプレート３に溶接や、ソールプレートの鋳造時に一体的に固定する。また金属製の共鳴体を、クラブヘッド本体１の材料よりも高比重材料を用いることで、クラブヘッド本体１の重心深度やヘッド周りの慣性モーメントを大きくでき、更に低重心化も図ることも可能である。
【００２２】
また、上記の実施形態は、ウッドゴルフクラブヘッドについて説明したが、中空構造のアイアンゴルフクラブヘッドにも適用することは可能である。
【００２３】
以上のように、炭素繊維強化プラスチック（ＣＦＲＰ）を主材とするクラブヘッド１、及びチタン等の金属材料を主材とするクラブヘッド１ｍの中空部４，４ｍ内に、打球時に共鳴音を発する金属製の共鳴体５，または共鳴体５ａ、または両共鳴体５，５ａを内蔵させて構成することにより、上記のようなクラブヘッド１，１ｍで打球した際、その打球時の衝撃により音叉である共鳴体５，５ａが振動すると共に、振動音が共鳴箱となる中空部４，４ｍ内において基音（打撃音）の５倍〜１８倍程度になり、打球時のフィーリング（打球音，打球感）を良好にすると同時に、クラブヘッドの重心深度やヘッド周りの慣性モーメントを大きくでき、更に低重心化も図ることが出来るものである。
【図面の簡単な説明】
【００２４】
【図１】この発明の第１実施形態を示すチタン等の金属材料を主材とするクラブヘッド本体の断面図である。
【図２】この発明の第２実施形態を示す炭素繊維強化プラスチック（ＦＲＰ）を主材とするウッドゴルフクラブのクラブヘッド本体の断面図である。
【図３】ソールプレートに共鳴体を取付けた状態を示す斜視図である。
【符号の説明】
【００２５】
１，１ｍ  クラブヘッド本体              ２，２ｍ  外殻
３，３ｍ  ソールプレート                ４，４ｍ  中空部
５，５ａ  共鳴体
３ａ  トウ側                            ３ｂ  ヒール側
３ｃ  バック側
【図１】
2004188221.tif 000003
【図２】
2004188221.tif 000004
【図３】
2004188221.tif 000005